(57)【要約】      （修正有）【課題】骨伝導機能つき通信端末機を提供する。【解決手段】通信端末機(例:スマートフォン、ギャラクシータップ、ギャラクシーフォン、携帯電話、ＰＤＡ、ＭＰ３、アイフォン、アイパッド、無電機など)の内部液晶パネルまたは液晶画面の裏に少なくとも一つ以上付着して、顔面部に通信端末機を密着させれば通信端末機の前面全体で音響受信が可能であるようにした音響信号(電気信号)を振動に変換させる骨伝導振動レシーバー/スピーカー３００が具備された骨伝導機能つき通信端末機。【選択図】図３ａ
2012161068.tif 000002
【特許請求の範囲】
【請求項１】
通信端末機(例:スマートフォン、ギャラクシータップ、ギャラクシーフォン、携帯電話、ＰＤＡ、ＭＰ３、アイフォン、アイパッド、無電機など)４００の内部液晶パネル４０１または液晶画面４０２の裏に少なくとも一つ以上付着して、顔面部に通信端末機を密着させれば通信端末機の前面全体で音響受信が可能であるようにした音響信号(電気信号)を振動に変換させる骨伝導振動レシーバー/スピーカー３００が具備された骨伝導機能つき通信端末機において、
前記骨伝導振動レシーバー/スピーカー３００は、コンパクトな正四角または直四角形でなされるが、
液晶パネルまたは液晶画面に付着して、中央に穴３１１が形成されたトップカバー３１０と、
前記トップカバー３１０の一端に組み立てされて、中央の穴３１６を中心に外側には骨伝導による微細な振動に応じるように振動ホール３１７が形成された振動スパイダー(ダンパー)３１５と、
前記振動スパイダー(ダンパー)３１５の一端に組み立て設置されるヨーク３２０と、
前記ヨーク３２０の一端に組み立てされて、中央に穴３２６が形成されたマグネット３２５と、
前記マグネット３２５の一端に組み立て設置されるボイスコイル３３０と、
前記ボイスコイル３３０の一端に組み立てされて、上部に突起３４１が突き出されたボトムカバー３４０と、
前記ボトムカバー３４０が一端に組み立てされて、中央に穴３３６が形成されたＰＣＢ３３５と、
前記ＰＣＢ３３５の一端に組み立てされて、中央に穴３４６が形成されたフレーム３４５と、及び
前記フレーム３４５の一端に具備されて、一側に穴３５１が形成されて骨伝導振動レシーバー/スピーカー使用時に振動子裏から外に出る振動伝達を吸収して、振動無騒音マイク使用時に外部から入って来る振動伝達騒音を遮断するラバーカバー３５０と、が具備されることを特徴とする骨伝導機能つき通信端末機。
【請求項２】
前記ボイスコイル３３０は、
０．０６〜１．０mmのコイルを４〜６層構造でワインディング(winding)されてなされることを特徴とする請求項１に記載の骨伝導機能つき通信端末機。
【請求項３】
前記ボイスコイル３３０は、
４〜１６Ωのローインピーダンス(low impedance)コイルでなされることを特徴とする請求項２に記載の骨伝導機能つき通信端末機。
【請求項４】
通信端末機(例:スマートフォン、ギャラクシータップ、ギャラクシーフォン、携帯電話、ＰＤＡ、ＭＰ３、アイフォン、アイパッド、無電機など)４００の内部上端に少なくとも一つ以上付着して、顔面部に通信端末機を密着させれば骨伝導マイク機能で周辺の騷音と関係なく通話者の声だけ送信が可能であるようにした微細な振動を音響信号(電気信号)に変換させる骨伝導振動無騒音マイク２００が具備された骨伝導機能つき通信端末機において、
前記骨伝導振動無騒音マイク２００は、コンパクトな正四角または直四角形でなされるが、通信端末機の内部上端に付着して、中央に穴２１１が形成されたトップカバー２１０と、
前記トップカバー２１０の一端に組み立てされて、中央に穴２０２が形成されて外部信号の緩衝役割をする第１インサイトクション２０１と、
前記インサイドクッション２０１の一端に組み立てされて、中央の穴２１６を中心に外側には骨伝導による微細な振動に応じるように振動ホール２１７が形成された振動スパイダー(ダンパー)２１５と、
前記振動スパイダー(ダンパー)２１５の一端に組み立て設置されるヨーク２２０と、
前記ヨーク２２０の一端に組み立てされて、中央に穴２２６が形成されたマグネット２２５と、
前記マグネット２２５の一端に組み立て設置されるボイスコイル２３０と、
前記ボイスコイル３３０の一端に組み立てされて、中央に穴が形成されて外部信号の緩衝役割をする第２インサイククション２０３と、
前記第２インサイドクッション２０３の一端に組み立てされて、中央に穴２３６が形成されたＰＣＢ２３５と、
前記ＰＣＢ２３５の一端に組み立てされて、上部に突起２４１が突き出されたボトムカバー２４０と、
前記ボトムカバー２４０が一端に組み立てされて、中央に穴２４６が形成されたフレーム２４５と、及び
前記フレーム２４５の一端に具備されて、一側に穴２５１が形成されて骨伝導振動レシーバー/スピーカー使用時に振動子裏から外に出る振動伝達を吸収して、振動無騒音マイク使用時に外部から入って来る振動伝達騒音を遮断するラバーカバー２５０と、が具備されることを特徴とする骨伝導機能つき通信端末機。
【請求項５】
前記ボイスコイル２３０は、
０．０２〜０．０６mmのコイルを８〜１０層構造でワインディング(winding)されてなされることを特徴とする請求項４に記載の骨伝導機能つき通信端末機。
【請求項６】
前記ボイスコイル２３０は、
１５０〜２００Ωのハイインピーダンス(high impedance)コイルでなされることを特徴とする請求項４に記載の骨伝導機能つき通信端末機。
【発明の詳細な説明】
【技術分野】
【０００１】
本発明は、骨伝導機能つき通信端末機に関するものであり、より詳細には、従来通信端末機(例:スマートフォン、ギャラクシータップ、ギャラクシーフォン、携帯電話、ＰＤＡ、ＭＰ３、アイフォン、アイパッド、無電機など)の正面に具備されたレシーバーホール(スピーカー)を無くすので端末機の正面全体を画面窓で構成できるようにしたものであり、特に、端末機の液晶画面または前面パネルに振動子を付着して端末機の正面全体で音響受信が可能であるようにものであり、併せて顔面部の耳や耳周り部分に端末機を密着させれば骨伝導機能で高感度の音響受信が可能であるようにしたものであり、さらに周辺の騷音と関係なく通話者の声だけ送信が可能であるようにものであり、これにより製品の品質と信頼性を大幅に向上させて消費者にとって良いイメージを植えてくれることができるようにしたものである。
【背景技術】
【０００２】
図１(a)に示されたところのように、従来技術の移動通信端末機１は、使用者の耳に接触される移動通信端末機１の上部の位置にスピーカー１０が形成されて、使用者の口に近い移動通信端末機１の下部の位置にマイク４０が形成されて、前面には移動通信端末機１の駆動状態を出力する表示部としてのＬＣＤ２０と使用者の制御命令入力のためのキーパッド３０が配置される構造を有することが一般的である。
【０００３】
前述した構成でスピーカー部１０が図１(b)に示されているし、スピーカー部１０はスピーカー１１とスピーカーを支持して保護する外部フレーム１２と飾りのために外部フレームの中心部に光沢を有するスチール材質などの材料を利用して凸型円弧形状などの形状になる飾り部１３を具備する。そして、ＭＣＵまたはＭＳＭなどで構成される移動通信端末機１の制御部１０１はボコーダー(Vocoder)、ＤＡＣ(Digital analog converter)を通じてＲＦ信号によって受信されたオーディオ信号、またはマルチメディアファイルの再生によるオーディオ信号を出力して、スピーカー１１は制御部１０１が出力したオーディオ信号の入力を受けて振動されて音信号を出力するように動作されることが一般的である。
【０００４】
しかし、前述したところのような従来技術の移動通信端末機１において、スピーカーの出力音量の大きさを使用者が調節することができるが、スピーカーの出力音量を小さくする場合にも相変らず外部の他人がスピーカーの出力音を聞くことができる場合が発生するようになって、個人の私生活を保護することができない問題点を有する。
【０００５】
また、前述したところのような従来技術の移動通信端末機は、騷音がひどい所では騷音による干渉によって相手方の音声や再生されるマルチメディアのオーディオ音を使用者がまともに認識することができない問題点を有する。
【０００６】
前記した問題点を解決するために従来には特許文献１(出願番号第２００５-００５０２２２号)(名称:骨伝導スピーカーを具備した移動通信端末機及びその駆動方法)が登録されたことがある。
【０００７】
すなわち、前記した従来の技術は、図２(a)(b)(c)に示されたところのように使用者の耳に接触される移動通信端末機１００の上部の位置にオーディオスピーカー部１１０が形成されて、使用者の口に近い移動通信端末機１００の下部の位置にマイク１４０が形成されて、前面には移動通信端末機１００の駆動状態を出力する表示部としてのＬＣＤ１２０と使用者制御命令入力のためのキーパッド１３０が配置される構造を有して、オーディオスピーカー部１１０の隣接位置には骨伝導スピーカー部１５０が具備される構造を有する。
【０００８】
前記移動通信端末機１００は、移動通信端末機による音声、データ通信を制御して、オーディオ信号を出力して、オーディオスピーカー部１１０と骨伝導スピーカー部１５０を選択的に駆動するためのスイチング部制御信号を出力するＭＳＭ(Mobile Station Modem)またはＭＣＵ(Micro Controller Unit)などでなされる制御部１０１が具備される。そして、制御部１０１のオーディオ信号出力端にはオーディオスピーカー部１１０と骨伝導スピーカー部１５０を選択して、オーディオ信号を出力するためのスイチング部１６０が具備されて、制御部１０１とスイチング部１６０はオーディオ信号出力のためのオーディオ信号線１０２とスイチング部１６０でスイチング信号を出力するスイチング部制御信号線１０３が連結される構造を有する。そして、スイチング部１６０はオーディオスピーカー端子１６１と骨伝導スピーカー端子１６２を具備して、
制御部１０１のスイチング信号によってスイチングされて、オーディオスピーカー部１１０または骨伝導スピーカー部１５０でオーディオ信号を選択的に出力するスイチング部１６０が具備される。そして、スイチング部１６０のオーディオスピーカー端子１６１にはオーディオスピーカー部１１０のスピーカー１１１が連結されて、スイチング部１６０の骨伝導スピーカー端子１６２には骨伝導スピーカー部１５０が連結される。ここで、前述した骨伝導スピーカー部１５０は、直接耳にささないで顔側面部骨の振動を直ちに鼓膜の内側に位置するねじ模様の蝸牛に伝達することで、使用者が音を認識できるようにしたことを言う。
【０００９】
次に、前記オーディオスピーカー部１１０は、スピーカー１１１と、中空部を有してスピーカー１１１を保護するためにスピーカー部１１０の前面に装着される外部フレーム１１２が具備されて、外部フレーム１１２の中空部には押しボタン１１３がスプリング１１４によって支持されて、押しボタン１１３の下端部には押しボタン１１３が押される場合、接地信号を制御部１０１に出力する接地スイッチ１１５が具備される。接地スイッチ１１５は一端が接地されて、他端は基準電圧源(ＶＣＣ)と並列で制御部１０１に連結される構造を有する。前述したスプリング１１４は押しボタン１１３に弾性力を提供することができる多様な形態及び材質の弾性部材で取り替えられることができる。
【００１０】
前述した骨伝導スピーカーを具備した移動通信端末機１００でのオーディオスピーカー部１１０と骨伝導スピーカー部１５０の選択的な動作による移動通信端末機の駆動方法を説明すると次のようである。
【００１１】
先ず、一般的な状態で移動通信端末機１００のスイチング部１６０は、オーディオ信号がオーディオスピーカー部１１０に入力されるようにする状態を維持するようになる(Ｓ１０)。以後、制御部１０１は押しボタン１１３の押しがあるかどうかを判断する(Ｓ２０)。Ｓ２０過程の判断結果、使用者がオーディオスピーカー部１１０を耳の周りまたは顎などの位置に接触させて、押しボタン１１３が押される場合には接地スイッチ１１５がスイチングされて接地されることで、ロー信号を制御部１０１に出力する。制御部１０１はロー信号によって押しボタン１１３の押しを感知するとスイチング信号線１０３を通じてスイッチング部１６０が骨伝導スピーカー部１５０にスイチングされるようにするスイチング制御信号を出力する。スイチング制御信号の入力を受けたスイチング部１６０は、オーディオ信号線１０２を通じて入力されるオーディオ信号が骨伝導スピーカー部１５０に入力されるようにスイチングされる。これによって使用者は音信号の出力なしに骨伝導スピーカーを通じてオーディオ信号を聞くことができるようになるし、外部の他人は音信号を聞くことができなくなるので、個人の私生活を保護することができるようになる(Ｓ３０)。次に、押しボタン１１３の押しが解除されるかを判断する(Ｓ４０)。Ｓ４０過程の判断結果押しボタン１１３の押しが解除されない場合には、現在骨伝導スピーカー部１５０へのスイチング状態を維持して、骨伝導スピーカー部１５０を通じてオーディオを出力した後Ｓ４０過程に復帰して、押しボタンの押し解除を監視する(Ｓ５０)。これと異なり、Ｓ４０過程の判断結果使用者がオーディオスピーカー部１１０を耳周りまたは顎骨などの接触部位から落として押しボタン１１３がスプリング１１４によって原位置に復帰されて押しが解除される場合、接地スイッチが接地から分離して制御部１０１には基準電圧源(ＶＣＣ)によって再びハイ信号が入力される。ハイ信号の入力を受けた制御部１０１は、再びスイチング部１６０でオーディオスピーカー部１１０にスイチングさせるスイチング制御信号を出力することで、スイチング部１６０がスイチングされて、オーディオスピーカー部１１０でオーディオ信号を出力するように動作される。そして、前述した処理過程のうちでＳ２０過程の判断結果、通話の場合またはマルチメディアファイルの再生によってオーディオ信号が出力される時に使用者が押しボタン１１３が押されないようにしてオーディオスピーカー部１１０を耳に接触させる場合には、スイチング部１６０はオーディオ信号をオーディオスピーカー部１１０に出力する状態を維持する(Ｓ６０)。
【００１２】
前記した従来の技術は、骨伝導スピーカーとオーディオスピーカーを具備して、使用者のスピーカー接触位置を感知して、耳以外の位置にスピーカーが位置される場合骨伝導スピーカーを通じてオーディオ信号を出力する骨伝導スピーカーを具備した移動通信端末機及びその駆動方法に関するものである。
【００１３】
しかし、前記した従来の技術も次のような多くの問題点が発生された。
【００１４】
すなわち、前記従来の技術は、端末機正面にレシーバーホール(スピーカー部)が具備されるので、端末機の正面全体を画面窓で構成することができないということが大きな問題点として指摘された。
【００１５】
また、前記従来の技術は、端末機の液晶画面または前面パネルに振動子を付着しないために、端末機正面全体で音響受信が不可能なことが大きな問題点として指摘された。
【００１６】
また、前記従来の技術は、スピーカー部を耳に密着させてこそ、音響受信が可能な問題点、すなわち、顔面部の耳や耳周り部分に端末機を密着させれば骨伝導機能で高感度の音響受信が不可能な問題点が発生された。
【００１７】
特に、前記従来の技術は、通話中周辺騷音が共に伝達される問題点、すなわち、周辺の騷音と関係なく通話者の声だけ送信が不可能であるという大きな問題点が発生された。
【先行技術文献】
【特許文献】
【００１８】
【特許文献１】大韓民国特許登録第０６８７２６５号
【発明の概要】
【発明が解決しようとする課題】
【００１９】
本発明は、前記のような従来技術の諸般の問題点を解消するために案出したものであり、通信端末機(例:スマートフォン、ギャラクシータップ、ギャラクシーフォン、携帯電話、ＰＤＡ、ＭＰ３、アイフォン、アイパッド、無電機など)の内部液晶パネルまたは液晶画面の裏に少なくとも一つ以上付着する骨伝導振動レシーバー/スピーカーと、通信端末機(例:スマートフォン、ギャラクシータップ、ギャラクシーフォン、携帯電話、ＰＤＡ、ＭＰ３、アイフォン、アイパッド、無電機など)の内部上端に少なくとも一つ以上付着する骨伝導振動無騒音マイクが具備されることを第１目的としたことであり、前記技術的構成による本発明の第２目的は、従来通信端末機(例:スマートフォン、ギャラクシータップ、ギャラクシーフォン、携帯電話、ＰＤＡ、ＭＰ３、アイフォン、アイパッド、無電機など)の正面に具備されたレシーバーホール(スピーカー)を無くすようになることによってレシーバーホール空間を液晶画面に確張して端末機の正面全体を画面窓で構成できるようにして、多様で新しいデザインができるようにしたことであり、第３目的は、前記レシーバーホール(スピーカー)を無くすことができるので、生活防水効果を向上させるようにしたことであり、第４目的は、特に、端末機の液晶画面または前面パネルに振動子を付着して、端末機正面全体で音響受信が可能であるようにことであり、第５目的は、同時に顔面部の耳や耳周り部分に端末機を密着させれば、骨伝導機能で高感度の音響受信が可能であるようにことであり、第６目的は、さらに周辺の騷音と関係なく通話者の声だけ送信が可能であるようにことであり、第７目的は、これにより製品の品質と信頼性を大幅に向上させて消費者にとって良いイメージを植えてくれることができるようにした骨伝導機能つき通信端末機を提供する。
【課題を解決するための手段】
【００２０】
このような目的達成のために本発明は、通信端末機(例:スマートフォン、ギャラクシータップ、ギャラクシーフォン、携帯電話、ＰＤＡ、ＭＰ３、アイフォン、アイパッド、無電機など)の内部液晶パネルまたは液晶画面の裏に少なくとも一つ以上付着して、顔面部に通信端末機を密着させれば通信端末機の前面全体で音響受信が可能であるようにした音響信号(電気信号)を振動に変換させる骨伝導振動レシーバー/スピーカーが具備されることを特徴とする骨伝導機能つき通信端末機を提供する。
【００２１】
また、本発明は、通信端末機(例:スマートフォン、ギャラクシータップ、ギャラクシーフォン、携帯電話、ＰＤＡ、ＭＰ３、アイフォン、アイパッド、無電機など)の内部上端に少なくとも一つ以上付着して、顔面部に通信端末機を密着させれば骨伝導マイク機能で周辺の騷音と関係なく通話者の声だけ送信が可能であるように微細な振動を音響信号(電気信号)に変換させる骨伝導振動無騒音マイクが具備されることを特徴とする骨伝導機能つき通信端末機を提供する。
【発明の効果】
【００２２】
前記で詳しく説明したところのように本発明は、通信端末機(例:スマートフォン、ギャラクシータップ、ギャラクシーフォン、携帯電話、ＰＤＡ、ＭＰ３、アイフォン、アイパッド、無電機など)の内部液晶パネルまたは液晶画面の裏に少なくとも一つ以上付着する骨伝導振動レシーバー/スピーカーと、通信端末機(例:スマートフォン、ギャラクシータップ、ギャラクシーフォン、携帯電話、ＰＤＡ、ＭＰ３、アイフォン、アイパッド、無電機など)の内部上端に少なくとも一つ以上付着する骨伝導振動無騒音マイクが具備されるようにしたものである。
【００２３】
前記した技術的構成による本発明は、従来通信端末機(例:スマートフォン、ギャラクシータップ、ギャラクシーフォン、携帯電話、ＰＤＡ、ＭＰ３、アイフォン、アイパッド、無電機など)の正面に具備されたレシーバーホール(スピーカー)を無くすようになることによって、レシーバーホール空間を液晶画面に確張して端末機の正面全体を画面窓で構成するようにしたものである。
【００２４】
そして、本発明は、前記レシーバーホール(スピーカー)を無くすことができるので、生活防水効果を向上させるようにしたものである。
【００２５】
特に、本発明は、端末機の液晶画面または前面パネルに振動子を付着して端末機正面全体で音響受信が可能であるようにしたものである。
【００２６】
併せて、本発明は、顔面部の耳や耳周り部分に端末機を密着させれば骨伝導機能で高感度の音響受信が可能であるようにしたものである。
【００２７】
さらに、本発明は、周辺の騷音と関係なく通話者の声だけ送信が可能であるようにしたものである。
【００２８】
本発明は前記した効果によって製品の品質と信頼性を大幅に向上させて、消費者にとって良いイメージともうすこし多様な便利さを植えてくれることができるようにした非常に有用な発明である。
【００２９】
以下では、このような効果達成のための本発明の望ましい実施例を添付された図面によって詳しく説明すると次のようである。
【図面の簡単な説明】
【００３０】
【図１ａ】従来移動通信端末機の正面図である。
【図１ｂ】従来スピーカーの回路構成図である。
【図２ａ】また他の従来骨伝導スピーカーを有する移動通信端末機の正面図である。
【図２ｂ】図２ａのブロック構成図である。
【図２ｃ】図２ａの端末機駆動方法の流れ図である。
【図３ａ】本発明に適用された骨伝導振動レシーバー/スピーカーの分解斜視図である。
【図３ｂ】本発明に適用された振動スパイダー(ダンパー)の多様な模様の構成図である。
【図４】本発明に適用された骨伝導振動レシーバー/スピーカーの結合状態断面図である。
【図５ａ】本発明に適用された骨伝導振動レシーバー/スピーカーが通信端末機の液晶画面に付着した状態を示した状態図である。
【図５ｂ】本発明に適用された骨伝導振動レシーバー/スピーカーが通信端末機の液晶パネルに付着した状態を示した状態図である。
【図６】本発明に適用された骨伝導振動無騒音マイクの分解斜視図である。
【図７】本発明に適用された骨伝導振動無騒音マイクの結合状態断面図である。
【図８】本発明に適用された骨伝導振動無騒音マイクが通信端末機の内部上端に付着した状態を示した状態図である。
【発明を実施するための形態】
【００３１】
本発明に適用された骨伝導機能つき通信端末機は、図３ないし図８に示されたところのように構成されるものである。
【００３２】
下記で本発明を説明するにおいて、係わる公知機能または構成に対する具体的な説明が本発明の要旨を不必要に曇ることができると判断される場合には、その詳細な説明は略するであろう。
【００３３】
そして、後述される用語らは、本発明での機能を考慮して設定された用語らとして、これは生産者の意図または慣例によって変わることができるので、その定義は本明細書全般にわたった内容を土台に下ろされなければならないであろう。
【００３４】
先ず、本発明は、図５(a)(b)に示されたところのように通信端末機(例:スマートフォン、ギャラクシータップ、ギャラクシーフォン、携帯電話、ＰＤＡ、ＭＰ３、アイフォン、アイパッド、無電機など)４００の内部液晶パネル４０１または液晶画面４０２の裏に少なくとも一つ以上付着して、顔面部に通信端末機４００を密着させれば通信端末機の前面全体で音響受信が可能であるようにした音響信号(電気信号)を振動に変換させる骨伝導振動レシーバー/スピーカー３００が具備されるものとして、コンパクトな正四角または直四角形でなされる。
【００３５】
この時、前記骨伝導振動レシーバー/スピーカー３００のより具体的な技術的構成は、図３、４に示されたところのように構成される。
【００３６】
すなわち、液晶パネル４０１または液晶画面４０２に付着して、中央に穴３１１が形成されたトップカバー３１０が具備される。
【００３７】
また、前記トップカバー３１０の一端に組み立てされて、中央の穴３１６を中心に外側には骨伝導による微細な振動に応じるように振動ホール３１７が形成された振動スパイダー(ダンパー)３１５a、３１５b、３１５cが具備される。
【００３８】
前記振動スパイダー(ダンパー)、３１５a、３１５b、３１５cは、図３(b)のように多様な模様で形成されることができることは勿論である。
【００３９】
そして、前記振動スパイダー(ダンパー)３１５a、３１５b、３１５cの一端にはヨーク３２０が組み立て設置される。
【００４０】
また、前記ヨーク３２０の一端に組み立てされて、中央に穴３２６が形成されたマグネット３２５が具備される。
【００４１】
また、前記マグネット３２５の一端にはボイスコイル３３０が組み立て設置される。
【００４２】
そして、前記ボイスコイル３３０の一端に組み立てされて、上部で突起３４１が突き出されたボトムカバー３４０が具備される。
【００４３】
また、前記ボトムカバー３４０が一端に組み立てされて、中央に穴３３６が形成されたＰＣＢ３３５が具備される。
【００４４】
そして、前記ＰＣＢ３３５の一端に組み立てされて、中央に穴３４６が形成されたフレーム３４５が具備される。
【００４５】
最後に前記フレーム３４５の一端に具備されて、一側に穴３５１が形成されて骨伝導振動レシーバー/スピーカー使用時に振動子裏から外に出る振動伝達を吸収して、振動無騒音マイク使用時に外部から入って来る振動伝達騒音を遮断するラバーカバー３５０が具備される。
【００４６】
特に、本発明に適用された前記ボイスコイル３３０は、０．０６〜１．０mmのコイルを４〜６層構造でワインディング(winding)されてなされることが望ましい。
【００４７】
また、前記ボイスコイル３３０は４〜１６Ωのローインピーダンス(low impedance)コイルでなされることが望ましい。
【００４８】
一方、本発明は、図８に示されたところのように通信端末機(例:携帯電話、ＰＤＡ、ＭＰ３、アイパッドなど)４００の内部上端に少なくとも一つ以上付着して、顔面部に通信端末機４００を密着させれば骨伝導振動無騒音マイク機能で周辺の騷音と関係なく通話者の声だけ送信が可能であるようにした微細な振動を音響信号(電気信号)に変換させる骨伝導振動無騒音マイク２００が具備されることで、コンパクトな正四角または直四角形でなされる。
【００４９】
この時、前記骨伝導振動無騒音マイク２００のより具体的な技術的構成は、図６、図７に示されたところのように構成される。
【００５０】
すなわち、通信端末機４００の内部上端に付着して、中央に穴２１１が形成されたトップカバー２１０が具備される。
【００５１】
また、前記トップカバー２１０の一端に組み立てされて、中央に穴２０２が形成されて外部信号の緩衝役割をする第１インサイトクション２０１が具備される。
【００５２】
そして、前記インサイドクッション２０１の一端に組立てて大きい外部信号の緩衝役割をするようになって、中央の穴２１６を中心に外側には骨伝導による微細な振動に応じるように振動ホール２１７が形成された振動スパイダー(ダンパー)２１５が具備される。
【００５３】
また、前記振動スパイダー(ダンパー)２１５の一端にはヨーク２２０が組み立て設置される。
【００５４】
そして、前記ヨーク２２０の一端に組み立てされて、中央に穴２２６が形成されたマグネット２２５が具備される。
【００５５】
また、前記マグネット２２５の一端にはボイスコイル２３０が組み立て設置される。
【００５６】
そして、前記ボイスコイル３３０の一端に組み立てされて、中央に穴が形成された第２インサイククションを利用して大きい外部信号に緩衝役割ができるように２０３が具備される。
【００５７】
また、前記第２インサイドクッション２０３の一端に組み立てされて、中央に穴２３６が形成されたＰＣＢ２３５が具備される。
【００５８】
そして、前記ＰＣＢ２３５の一端に組み立てされて、上部で突起２４１が突き出されたボトムカバー２４０が具備される。
【００５９】
また、前記ボトムカバー２４０が一端に組み立てされて、中央に穴２４６が形成されたフレーム２４５が具備される。
【００６０】
最後に、前記フレーム２４５の一端に具備されて、一側に穴２５１が形成されて骨伝導振動レシーバー/スピーカー使用時に振動子裏から外に出る振動伝達を吸収して、振動無騒音マイク使用時に外部から入って来る振動伝達騒音を遮断するラバーカバー２５０が具備される。
【００６１】
特に、本発明に適用された前記ボイスコイル２３０は０．０２〜０．０６mmのコイルを８〜１０層構造でワインディング(winding)されてなされることが望ましい。
【００６２】
そして、前記ボイスコイル２３０は、１５０〜２００Ωのハイインピーダンス(high impedance)コイルでなされることが望ましい。
【００６３】
一方、本発明は、前記の構成部を適用するにおいて、多様に変形されることができるし、さまざまな形態を取ることができる。
【００６４】
そして、本発明は、前記の詳細な説明で言及される特別な形態で限定されるものではないことで理解されなければならないし、むしろ添付された請求範囲によって定義される本発明の精神と範囲内にあるすべての変形物と均等物及び代替物を含むことで理解されなければならない。
【００６５】
前記のように構成された本発明骨伝導機能つき通信端末機の作用効果を説明すると次のようである。
【００６６】
まず、本発明は従来通信端末機(例:スマートフォン、ギャラクシータップ、ギャラクシーフォン、携帯電話、ＰＤＡ、ＭＰ３、アイフォン、アイパッド、無電機など)の正面に具備されたレシーバーホール(スピーカー)を無くすので、端末機の正面全体を画面窓で構成するようにしたものであり、特に、端末機の液晶画面または前面パネルに振動子を付着して端末機正面全体で音響受信が可能であるようにものであり、併せて、顔面部の耳や耳周り部分に端末機を密着させれば骨伝導機能で高感度の音響受信が可能であるようにものであり、さらに周辺の騷音と関係なく通話者の声だけ送信が可能であるようにしたものである。
【００６７】
このために本発明に適用された骨伝導振動レシーバー/スピーカー３００は、図３に示された部品が順次に結合すると図４のように組み立てされることで、既存の円形を四角形に構成してコンパクトな構造で形成することができることはもちろん、ジグが必要なしに溝に挟むようになれば簡単に組み立て設置することができるようになって、生産性向上にも寄与できるようになる。
【００６８】
本発明は、前記のように組み立てされた骨伝導振動レシーバー/スピーカー３００を図５(a)に示されたところのように通信端末機４００の液晶画面４０１の裏に付着させて使用するようになれば、携帯電話上端に位置した受信用レシーバーを除去することができる効果があって、したがって、受信用レシーバー空間を液晶画面に確張して現在の方式より大きい画面で構成して使用することができる長所があるようにしたものである。
【００６９】
そして、前記骨伝導振動レシーバー/スピーカー３００を図５(b)に示されたところのように通信端末機４００の液晶パネル４０２の裏に付着させて使用するようになれば従来音伝達のためのレシーバーホール(穴)を無くすことができるので生活防水効果を向上させることができる利点があるようにしたものである。
【００７０】
特に、本発明は、骨伝導振動レシーバー/スピーカー３００を通信端末機４００の液晶画面４０１または液晶パネル４０２に付着させて使用するようになるによって、通信端末機４００の前面全体で音響受信が可能(air conduction)であり、また、顔面部に通信端末機４００を密着させれば、骨伝導の機能(Bone Conduction)で受信が可能になる。
【００７１】
また、本発明に適用された前記ボイスコイル３３０は、０．０６〜１．０mmのコイルを４〜６層構造でワインディング(winding)されてなされることが望ましい。
【００７２】
すなわち、コイルが０．０６mm以下である場合にはあまりにも薄くて切断の憂慮があって、１．０mm以上である場合には音響信号が落ちる問題点がある。
【００７３】
そして、コイルが４層以下になれば不確実な電気信号が発生されて、６層以上である場合にはコストアップが問題になるために、前記ボイスコイル３３０は０．０６〜１．０mmのコイルを４〜６層構造でワインディング(winding)されてなされることが望ましい。
【００７４】
また、前記ボイスコイル３３０は４〜１６Ωのローインピーダンス(low impedance)コイルでなされることが望ましいものであり、インピーダンスが４Ω以下である場合には駆動アンプとのインピーダンスマッチングに無理があって、インピーダンスが１６Ω以上である場合には高出力駆動アンプが必要になるので、前記ボイスコイル３３０は４〜１６Ωのローインピーダンスコイルでなされることが望ましい。
【００７５】
また、前記ボイスコイル３３０は、４〜１６Ωのローインピーダンス(low impedance)コイルでなされることが望ましいことであり、インピーダンスが４Ω以下である場合には電流回答がとても遅くて、インピーダンスが１６Ω以上である場合には電流回答がとても速くて送信が不可能であるので、前記ボイスコイル３３０は４〜１６Ωのローインピーダンスコイルでなされることが望ましい。
【００７６】
一方、本発明に適用された骨伝導振動無騒音マイク２００は、図６に示された部品を順次に結合すると、図７のように組み立てされることで、既存の円形を四角形で構成してコンパクトな構造で形成することができることはもちろん、ジグが必要なしに溝に挟むようになれば、簡単に組み立て設置することができるようになって、生産性向上にも寄与できるようになる。
【００７７】
本発明は、前記のように組み立てされた骨伝導振動無騒音マイク２００を図８に示されたところのように通信端末機４００の液晶画面４０１の裏に付着させて使用するようになることで、前記骨伝導振動無騒音マイク２００を通信端末機４００の上端に付着した状態で通話者がこの部分を顔面部に密着させて通話する時、骨伝導マイク機能で周辺の騷音と関係なく通話者の声だけ送信が可能になる。
【００７８】
特に、本発明に適用された前記骨伝導振動無騒音マイク２００に適用されたボイスコイル２３０は０．０２〜０．０６mmのコイルを８〜１０層構造でワインディング(winding)されてなされることが望ましい。
【００７９】
すなわち、コイルが０．０２mm以下である場合にはとても薄くて切断の憂慮があって、０．０６mm以上である場合には音響信号が落ちる問題点がある。
【００８０】
そして、コイルが８層以下になれば不確実な電気信号が発生されて、１０層以上である場合にはコストアップが問題になるために、前記ボイスコイル２３０は０．０２〜０．０６mmのコイルを８〜１０層構造でワインディング(winding)されてなされることが望ましい。
【００８１】
また、本発明に適用された前記ボイスコイル２３０は、１５０〜２００Ωのハイインピーダンス(high impedance)コイルでなされることが望ましいことであり、インピーダンスが１５０Ω以下である場合にはボイスコイルに誘起される起電力(電圧)が遅くて、インピーダンスが２００Ω以上である場合には、誘起される起電力(電圧)は適当であるが、経済性がたくさん落ちて、前記ボイスコイル２３０は１５０〜２００Ωのハイインピーダンス(high impedance)コイルでなされることが望ましい。
【産業上の利用可能性】
【００８２】
本発明の骨伝導機能つき通信端末機の技術的思想は、実際に同一結果を繰り返して実施可能なことであり、特に、このような本願発明を実施することで技術発展を促進して、産業発展に貢献することができて保護する価値が充分にある。
【符号の説明】
【００８３】
２００  骨伝導振動無騒音マイク
３００  骨伝導振動レシーバー/スピーカー
４００  通信端末機
【図１ａ】
2012161068.tif 000003
【図１ｂ】
2012161068.tif 000004
【図２ａ】
2012161068.tif 000005
【図２ｂ】
2012161068.tif 000006
【図２ｃ】
2012161068.tif 000007
【図３ａ】
2012161068.tif 000008
【図３ｂ】
2012161068.tif 000009
【図４】
2012161068.tif 000010
【図５ａ】
2012161068.tif 000011
【図５ｂ】
2012161068.tif 000012
【図６】
2012161068.tif 000013
【図７】
2012161068.tif 000014
【図８】
2012161068.tif 000015